(57)【要約】【課題】  火災発生時にかご内に乗客がいることを検出し外部に報知することにある。【解決手段】    乗りかご内の積載重量から乗客の有無を検出する乗客検出手段７と、各階の防火設備の閉動作を検出する防火設備動作検出部１１と、火災発生時、火災発生時、防火設備動作検出部１１で検出される火災発生階の防火設備の閉動作信号を受けた場合、乗りかごを第1の避難階に走行し、第１の避難階の防火設備の閉動作している時、第２の避難階に走行し、乗客を降ろして休止する運転制御部１２と、第1又は第２の避難階に避難し休止中または第1及び第２の避難階の防火設備が閉動作しているとき、乗客検出手段の出力から乗りかご内に乗客有りと検出したとき、かご内に乗客がいることを知らせる音声情報を送出し、外部の報知装置から報知する報知処理制御部１５とを設け、乗場或いは監視室の監視員、管理人等にかご内に乗客がいることを知らせ、速やかに乗客を救助するための行動を起こすことを促すエレベータ制御装置である。【選択図】      図１
2005170583.tif 000002
【特許請求の範囲】
【請求項１】
火災発生時にエレベータ昇降路を防火区画とする防火設備の閉動作信号に基づいて乗りかご内の乗客を所定の避難階に避難させるエレベータ制御装置において、
乗りかご内の乗客の有無を検出する乗客検出手段と、
各階の防火設備の閉動作を検出する防火設備動作検出手段と、
火災発生時、前記防火設備動作検出手段で検出される火災発生階の防火設備の閉動作信号を受けた場合、前記乗りかごを所定の避難階に走行させて乗客を避難させる運転制御手段と、
この運転制御手段によって所定の避難階に乗客を避難させた場合、又は前記避難階への走行中に全避難階の防火設備が閉動作していることを前記防火設備動作検出手段で検出した場合、前記乗客検出手段から前記乗りかご内に乗客有りを受けると、当該乗りかご内に乗客がいることを知らせる音声情報を送出する報知処理制御手段と、
緊急対応可能な場所に設置され、前記報知処理制御手段から送られてくる音声情報を報知する報知装置とを備えたことを特徴とするエレベータ制御装置。
【請求項２】
火災発生時にエレベータ昇降路を防火区画とする防火設備の閉動作信号に基づいて乗りかご内の乗客を所定の避難階に避難させるエレベータ制御装置において、
乗りかご内に設けられ、前記乗りかごに備えられたドアを開動作可能とする戸開ボタンと、
各階の防火設備の閉動作を検出する防火設備動作検出手段と、
火災発生時、前記防火設備動作検出手段で検出される火災発生階の防火設備の閉動作信号を受けた場合、前記乗りかごを所定の避難階に走行させて乗客を避難させる運転制御手段と、
この運転制御手段によって所定の避難階に乗客を避難させた場合、又は前記避難階への走行中に全避難階の防火設備が閉動作していることを前記防火設備動作検出手段で検出した場合、前記戸開ボタンのドア開操作信号に基づいて前記乗りかご内に乗客有りと検出したとき、当該乗りかご内に乗客がいることを知らせる音声情報を送出する報知処理制御手段と、
緊急対応可能な場所に設置され、前記報知処理制御手段から送られてくる音声情報を報知する報知装置とを備えたことを特徴とするエレベータ制御装置。
【請求項３】
請求項１又は請求項２に記載のエレベータ制御装置において、
前記乗りかご内に乗客がいることを知らせる情報を前記報知装置に送出する外部報知手段及び前記乗りかご内に乗客がいることを外部に報知中である情報を送出するかご内報知手段を有する前記報知処理制御手段と、
前記乗りかご内に設けられ、前記かご内報知手段から送られてくる外部に報知中である情報を受信して出力し、当該乗りかご内の乗客に知らせる音声発生手段とをさらに備えたことを特徴とするエレベータ制御装置。
【請求項４】
請求項１又は請求項２に記載のエレベータ制御装置において、
前記乗りかご内に乗客がいることを知らせる情報を前記報知装置に送出する外部報知手段及び前記防火設備動作検出手段の出力から現在防火設備が閉動作していない階の情報を送出する階情報出力手段を有する前記報知処理制御手段と、
前記報知装置から前記乗りかご内に乗客がいることを確認し、かつ前記階情報出力手段から送出された階情報に基づき、前記運転制御手段に対して現在防火設備が閉動作していない安全な１つの階に前記乗りかごを強制走行させるための制御信号を供給する強制走行制御手段とをさらに備えたことを特徴とするエレベータ制御装置。
【請求項５】
請求項１ないし請求項４の何れか一項に記載のエレベータ制御装置において、
前記防火設備に代えて、遮煙，遮炎性能を有する乗場ドアを設置したことを特徴とするエレベータ制御装置。
【発明の詳細な説明】
【技術分野】
【０００１】
本発明は、火災発生等に伴う管制運転時に乗りかご内に乗客がいることを報知するエレベータ制御装置に関する。
【背景技術】
【０００２】
一般に、建物の建築基準を定めている建築基準法施工令第１１２条第９項、第１４項第二号では、「エレベータの昇降路は建築の他の部分と防火設備で防火区画すること」及び「エレベータの乗降ロビーは昇降路の一部と見なさないために、乗降ロビーの昇降路と竪穴区画しなければならない。」と規定されている。
【０００３】
そこで、エレベータ設備としては、前述する建築基準法施工令のもとに、エレベータの乗場ドアの直前に、その階に設置される煙感知器と連動する防火シャッター・防火戸等の防火設備を設置し、或いは遮煙，遮炎性能を有する乗場ドアを設置し、煙感知器その他の火災検出センサで火災の発生を検出したとき、防火設備や乗場ドア（以下、防火設備と総称する）を閉じる構成となっている。
【０００４】
ところで、火災の発生に伴って防火設備が閉じ始めた場合、乗りかご内の乗客を安全な階に避難させるために幾つかのエレベータ制御装置が提案されている。
【０００５】
その１つのエレベータ制御装置は、火災発生階側の防火設備の防火シャッター等が閉じた動作信号を受けると、予め定める防火設備が閉じていない第１の避難階に強制的に直行する管制運転を行い、乗りかご内の乗客を避難させる。第１の避難階の防火設備が閉じている場合には予め定める第２の避難階へ直行する管制運転を行い、乗りかご内の乗客を第２の避難階に避難させる。そして、乗りかごから乗客を降ろした後、休止状態に入る。
【０００６】
もう１つのエレベータ制御装置としては、予め順位付けられた優先停止階を記憶する優先停止階記憶手段、建物内の各階に設置された火災を検出する火災センサ等の火災検出手段及び停止階選択手段が設けられ、この停止階選択手段は、火災検出手段から火災検出信号を受けると、優先停止階記憶手段に記憶される優先停止階の中から順位付けに従って安全な避難階を選択し、エレベータ制御盤に通知し、乗りかごを運転制御するものである（特許文献１）。
【特許文献１】特開平１０−１８２０２９号公報
【発明の開示】
【発明が解決しようとする課題】
【０００７】
ところで、前者のエレベータ制御装置は、煙感知器の動作によって第１の避難階の防火設備が閉じてきた場合、予め定める第２の避難階に向かおうとするが、第２の避難階の防火設備が閉まっている場合、乗りかごの新たな避難先が決めにくい状態となり、かご内に乗客が閉じ込められてしまう可能性がある。
【０００８】
また、後者のエレベータ制御装置では、優先停止階記憶手段に優先停止階の順位を設定しておき、火災発生時に迅速に停止階を選択させるものであるが、現実に乗りかご内に乗客が取り残されてしまった場合、乗りかご内に乗客がいることを確認する手段がない。また、乗りかご内に乗客がいることを確認できないことから、乗客を救助するための対策がなされていない。
【０００９】
本発明は上記事情に鑑みてなされたもので、火災発生時に逃げ遅れてかご内に乗客が入っていることを容易に検出し外部に報知するエレベータ制御装置を提供することを目的とする。
【００１０】
また、本発明の他の目的は、所定の全ての避難階の防火設備が閉じた場合、防火設備が閉動作していない最も安全な避難階以外の階を見つけ出し、かご内に閉じ込められている乗客の救出を図るエレベータ制御装置を提供することにある。
【課題を解決するための手段】
【００１１】
（１）  上記課題を解決するために、本発明は、火災発生時にエレベータ昇降路を防火区画とする防火設備の閉動作信号に基づいて乗りかご内の乗客を所定の避難階に避難させるエレベータ制御装置であって、乗りかご内の積載重量から乗客の有無を検出する乗客検出手段と、各階の防火設備の閉動作を検出する防火設備動作検出手段と、火災発生時、前記防火設備動作検出手段で検出される火災発生階の防火設備の閉動作信号を受けた場合、前記乗りかごを所定の避難階に走行させて乗客を避難させる運転制御手段と、この運転制御手段によって所定の避難階に乗客を避難させた場合、又は前記避難階への走行中に全避難階の防火設備が閉動作していることを前記防火設備動作検出手段で検出した場合、前記乗客検出手段で前記乗りかご内に乗客有りと検出したとき、当該乗りかご内に乗客がいることを知らせる音声情報を送出する報知処理制御手段と、緊急対応可能な場所に設置され、前記報知処理制御手段から送られてくる音声情報を報知する報知装置とを設けた構成である。
【００１２】
この発明は以上のような構成とすることにより、火災発生時、防火設備動作検出手段で検出される火災発生階の防火設備の閉動作信号を受けた場合、運転制御手段は、乗りかごを第1の避難階に走行し、第１の避難階の防火設備の閉動作している時、第２の避難階に走行し、乗客を降ろして休止するが、第1及び第２の避難階の避難後や第1及び第２の避難階の防火設備が閉動作している場合、報知処理制御手段は、乗客検出手段の出力から乗りかご内に乗客有りと検出したとき、かご内に乗客がいることを知らせる音声情報を送出し、報知装置から報知するので、この報知装置を設置する乗場或いは監視室の監視員、管理人等がかご内に乗客がいることを確認でき、速やかに乗客を救助するための行動を起こすことができる。
【００１３】
なお、緊急時に乗客が乗りかご内に設けられる戸開ボタンを操作するので、乗りかご内の積載重量から乗客の有無を検出する乗客検出手段に代えて、戸開ボタンのドア開操作信号に基づいて乗りかご内の乗客の有無を検出する構成であってもよく、前述する（１）の構成をもつエレベータ制御装置と同様の作用効果を奏することができる。
【００１４】
（２）  また、本発明に係るエレベータ制御装置は、前記（１）の構成要素に新たに、乗りかご内に乗客がいることを外部に報知中である情報を送出するかご内報知手段をもつ前記報知処理制御手段と、前記乗りかご内に設けられ、前記かご内報知手段から送られてくる外部に報知中である情報を受信して出力し、当該乗りかご内の乗客に知らせる音声発生手段とを付加すれば、乗りかご内に乗客がいることを外部だけでなく、乗りかご内の乗客にも現在外部に報知中であることを知らせることにより、乗りかご内の乗客に精神的な安心感を与えることができ、緊急時に冷静な行動を担保することが可能となる。
【００１５】
さらに、本発明に係るエレベータ制御装置は、前記（１）の構成要素に新たに、防火設備動作検出手段の出力から現在防火設備が閉動作していない階の情報を送出する階情報出力手段を有する前記報知処理制御手段と、前記報知装置から前記乗りかご内に乗客がいることを確認し、かつ前記階情報出力手段から送出された階情報に基づき、前記運転制御手段に対して現在防火設備が閉動作していない安全な１つの階に前記乗りかごを強制走行させるための制御信号を供給する強制走行制御手段とを設けることにより、全ての避難階の防火設備が閉動作している場合、避難階以外の安全な階に強制的に乗りかごを走行させてかご内の乗客を避難させることが可能となる。
【００１６】
（３）  なお、以上のようなエレベータ制御装置は、防火シャッターや防火戸などを備えた防火設備に適用した構成であるが、この防火設備に代えて、遮煙，遮炎性能を有する乗場ドアを設置した場合にも同様に適用するできるものである。
【発明の効果】
【００１７】
本発明は、火災発生時に逃げ遅れてかご内に乗客が入っていることを容易に検出し外部に報知することにより、乗客を速やかに救出するための手立てを講じることができる。
【００１８】
また、本発明は、所定の全ての避難階の防火設備が閉じた場合、防火設備が閉動作していない最も安全な避難階以外の階を見つけ出し、乗りかごを当該階に走行させることにより、かご内に閉じ込められた乗客を救出できるエレベータ制御装置を提供できる。
【発明を実施するための最良の形態】
【００１９】
以下、本発明の実施の形態について図面を参照して説明する。
【００２０】
（第１の実施の形態）
図１は本発明に係るエレベータ制御装置の一実施の形態を示す構成図である。
【００２１】
このエレベータ制御装置を適用するエレベータは、エレベータ昇降路１に設置された巻上機（図示せず）に巻き掛けられたメインロープ２に乗りかご３が昇降可能に吊下げられ、またメインロープ２の他端側には釣合いおもり（図示せず）が吊下げられ、ホール呼び及びかご呼び登録に基づき、乗りかご３が所要の階に着床しながら走行する構成となっている。
【００２２】
エレベータ制御装置は、以上のようなエレベータにおいて、乗りかご３が着床する各階の乗場ドア４ａ，４ｂ，…の直前に設けられ、各階に設置される煙感知器（図示せず）と連動する防火シャッター・防火戸等の防火設備５ａ，５ｂ，…及びこの防火設備５ａ，５ｂ，…である例えば防火シャッターが所定距離閉じ降りたときに防火設備接点信号（防火設備閉動作信号）を出力する防火設備接点６ａ，６ｂ，…と、乗りかご３内に乗客が乗っていることを検出する乗客検出手段７と、ホール呼び及びかご呼び登録に基づいて乗りかご３を運行制御するとともに、火災発生に伴う管制運転のもとに第１の避難階に強制的に直行させ、かつ第１の避難階の防火設備が閉じている場合には予め定める第２の避難階へ直行させ、さらに本発明の要部である火災発生時に乗りかご３内に乗客がいることを検出したときに報知処理を行うエレベータ制御盤８と、このエレベータ制御盤８による報知処理内容を外部に報知する報知装置９とが設けられている。
【００２３】
前記乗客検出手段７は、例えば乗りかご３を構成するかご室底部に荷重センサを設置し、当該荷重センサで計測される積載荷重から乗りかご内の乗客の有無を検出するが、その他にも赤外線センサなどを用いて、乗りかご内の乗客の有無を検出することも可能である。
【００２４】
前記エレベータ制御盤８は、防火設備接点６ａ，６ｂ，…から送られてくる防火設備接点信号から該当する防火設備５ａ又は、５ｂ，…が閉動作していることを検出し、防火設備動作検出信号を出力する防火設備動作検出部１１、この防火設備動作検出部１１から出力される防火設備動作検出信号を受けると、火災発生に伴う管制運転のもとに予め定める避難階に乗りかご３を走行させる運転制御を行う運転制御部１２及びこの運転制御部１２によって所定の避難階に乗客を避難させたことを検出した場合、又は所定の避難階への走行中に全避難階の防火設備が閉動作していることを防火設備動作検出部１１で検出した場合、乗客検出手段７からテールコード１３を通して乗りかご３内の乗客の有無を判断し、かご内に乗客がいると判断した場合、報知データ記憶部１４からかご内に乗客がいることを知らせる緊急報知データを読み出して報知装置９に送出する報知処理制御部１５が設けられている。
【００２５】
この報知装置９は、乗場、監視室又は管理人室等に設置され、報知処理制御部１５から出力される緊急報知データを外部に発生し、乗りかご３内にいる乗客の救助を促す。
【００２６】
次に、以上のような装置の動作について図２を参照して説明する。
【００２７】
ある１つの階の煙感知器で火災を検知すると、当該階の防火設備の防火シャッターが所定の距離まで閉じ降りると、防火設備接点６ａが動作し、防火設備接点信号を出力する。
【００２８】
エレベータ制御盤８の防火設備動作検出部１１は、防火設備接点信号から前記ある階の防火設備例えば５ａの閉動作であると検出すると（Ｓ１）、防火設備動作検出信号を運転制御部１２に送出する。
【００２９】
運転制御部１２は、防火設備動作検出信号を受信すると、火災発生であると判断し、第１の避難階に走行する管制運転を行う（Ｓ２）。このとき、防火設備動作検出部１１は、第１の避難階に設置される防火設備例えば５ｂに対応する防火設備接点６ｂから防火設備接点信号を受けているか否かを判断し（Ｓ３）、受けていない場合には第1の避難階に着床し、ドア開によって乗客を降ろした後（Ｓ４）、ドア閉じて休止状態に入る（Ｓ５）。
【００３０】
前記ステップＳ３において、防火設備接点６ｂから防火設備接点信号を受けている場合には第１の避難階の防火設備５ｂが閉動作していることを検出し、運転制御部１２に通知する。この運転制御部１２は、第１避難階が防火設備閉動作となっていることから、第２の避難階に走行する管制運転を行う（Ｓ６）。防火設備動作検出部１１は、引き続き、第２の避難階に設置される防火設備に対応する防火設備接点から防火設備接点信号を受けているか否かを判断し（Ｓ７）、受けていない場合には第２の避難階に着床し、ドア開によって乗客を降ろした後（Ｓ８）、ドア閉じて休止状態に入る（Ｓ９）。
【００３１】
そして、第1の避難階又は第２の避難階に到着し休止状態となった場合、またステップＳ７にて第１及び第２の避難階の防火設備に対応する防火設備接点から防火設備接点信号を受けている場合、かご内に乗客が閉じ込められてしまうことが予想される。
【００３２】
そこで、報知処理制御部１５は、第1の避難階又は第２の避難階に到着し休止状態となったことを運転制御部１２から受けた時、または防火設備動作検出部１１から第１及び第２の避難階の防火設備に対応する防火設備接点から防火設備接点信号を受け取ることにより、運転制御部１２から管制運転のもとに乗りかごが休止状態に入っており、かつ防火設備動作検出部１１から第１又は第２の避難階の防火設備も動作していることを検出すると、乗客検出手段７からかご内に乗客がいるか否かを判断し（Ｓ１０）、かご内に乗客がいると判断した場合には、報知データ記憶部１４からかご内に乗客がいることを知らせる緊急報知データを読み出し、報知装置９からかご内に乗客がいることを報知する（Ｓ１１）。
【００３３】
従って、以上のような実施の形態によれば、火災の発生等に伴う管制運転時、第１の避難階又は第２の避難階に着床し、かごドアを閉じた状態で乗りかごが休止状態に入った場合、また第１及び第２の避難階の防火設備が閉動作していると判断した場合、乗客検出手段７から出力される信号から乗りかご３内に乗客がいるか否かを判断し、第１の避難階又は第２の避難階に休止中のかご内に乗客がいる場合、乗場や監視室などに設置される報知装置９からかご内に乗客がいることを報知するので、監視員や管理人の判断のもとにエレベータ制御盤８に必要な操作制御を試みるとか、消防署等に緊急通報することにより、かご内に閉じ込められている乗客の救出を促すことができる。
【００３４】
（第２の実施の形態）
図３は本発明に係るエレベータ制御装置の他の実施の形態を示す構成図である。なお、同図において、図１と同一または等価な部分には同一符号を付して、詳しくは図１の説明に譲り、以下、特に異なる部分について説明する。
【００３５】
図１に示すエレベータ制御装置では、例えば荷重計などの乗客検出手段７を用いて、乗りかご３内に乗客がいるか否かを検出する構成としたが、本実施の形態では、乗りかご３内のかご操作盤（図示せず）に設けられている戸開ボタン２１のドア開操作信号から乗りかご３内の乗客の有無を判断する構成である。
【００３６】
一般に、火災の発生等に伴う管制運転時、第１の避難階又は第２の避難階に到着し、かごドアが閉じた状態で乗りかごが休止状態に入るが、乗りかご内に閉じ込められている乗客は必要以上に戸開ボタン２１を操作することが予想され、またシミュレーション結果からも確認されている。
【００３７】
そこで、報知処理制御部１５は、火災発生等に伴う管制運転時、第１の避難階又は第２の避難階に到着し、かごドアが閉じた状態で乗りかごが休止状態に入った場合、または何れの避難階にも着床していない場合、所定時間にわたって戸開ボタン２１からドア開操作信号が出力されているか否かを判断し、第１の避難階又は第２の避難階に到着しているかご内に乗客がいると判断した場合、第1の実施の形態と同様に報知装置９からかご内に乗客がいることを報知する。
【００３８】
従って、この実施の形態においても、第1の実施の形態と同様の効果を奏することができる。
【００３９】
（第３の実施の形態）
図４は本発明に係るエレベータ制御装置のさらに他の実施の形態を示す構成図である。なお、同図において、図１、図３と同一または等価な部分には同一符号を付して、詳しくは図１、図３の説明に譲り、以下、特に異なる部分について説明する。
【００４０】
この実施の形態は、図１、図３に示すように防火設備動作検出部１１、運転制御部１２、報知データ記憶部１４及び第１の避難階又は第２の避難階に到着し、かごドアが閉じた状態で乗りかごが休止状態に入った場合、乗客検出手段７又は戸開ボタン２１からかご内に乗客がいるか否かを判断し、かご内に乗客がいる場合にかご内に乗客がいることを知らせる報知処理制御部１５が設けられているが、この報知処理制御部１５としては、乗客検出手段７又は戸開ボタン２１からかご内に乗客がいることを検出すると、前述するように報知データ記憶部１４から乗客が乗りかご内にいることの情報を読み出して報知装置９から出力するかご外部報知機能の他、報知データ記憶部１４から乗りかご内に乗客がいることを外部に報知中である情報を読み出して送出するかご内報知機能を有している。
【００４１】
また、報知処理制御部１５にはテールコード１３を介して乗りかご３内に設置されるスピーカなどの音声発生器２２が接続されている。この音声発生器２２は、通常，乗りかごに設置されている通話装置を利用してもよい。
【００４２】
よって、報知処理制御部１５としては、かご内に乗客が残っていると判断された場合、通報データ記憶部１４からかご内に乗客がいることを知らせる緊急通報データを読み出して報知装置９から報知する一方、同様に報知データ記憶部１４から乗りかご内に乗客がいることを外部に通報中であるデータを読み出し、テールコード１３を介して乗りかご３内の音声発生器２２から乗客に知らせる機能をもっている。
【００４３】
このエレベータ制御装置の動作としては、図５に示すごとく、防火設備動作検出部１１は、防火設備接点信号からある階の防火設備５ａの動作であると検出すると（Ｓ２１）、防火設備動作検出信号を運転制御部１２に送出する。
【００４４】
運転制御部１２は、防火設備動作検出信号を受信すると、火災発生であると判断し、第１の避難階に走行する管制運転を行う（Ｓ２２）。このとき、防火設備動作検出部１１は、第１の避難階に設置される防火設備例えば５ｂに対応する防火設備接点６ｂから防火設備接点信号を受けているか否かを判断し（Ｓ２３）、受けていない場合には第1の避難階に着床し、ドア開によって乗客を降ろした後（Ｓ２４）、ドア閉じて休止状態に入る（Ｓ２５）。
【００４５】
前記ステップＳ２３において、防火設備接点６ｂから防火設備接点信号を受けている場合には第１の避難階の防火設備５ｂが動作していることを検出し、運転制御部１２に通知する。この運転制御部１２は、第１避難階の防火設備が閉動作していることを受けていることから、第２の避難階に走行する管制運転を行う（Ｓ２６）。防火設備動作検出部１１は、引き続き、第２の避難階に設置される防火設備に対応する防火設備接点から防火設備接点信号を受けているか否かを判断し（Ｓ２７）、受けていない場合には第２の避難階に着床し、ドア開によって乗客を降ろした後（Ｓ２８）、ドア閉じて休止状態に入る（Ｓ２９）。
【００４６】
そして、第1の避難階又は第２の避難階に到着し休止状態となった場合、またはステップＳ１７にて第２の避難階に設置される防火設備の防火設備接点からも防火設備接点信号を受けている場合、かご内に乗客が閉じ込められてしまうことが予想される。
【００４７】
そこで、運転制御部１２は、火災発生に伴って管制運転を行った後に第１の避難階又は第２の避難階に到着し、かごドアが閉じた状態で乗りかごが休止状態に入った場合、報知処理制御部１５に通知する。また、防火設備動作検出部１１から第1及び第２の避難階の防火設備の防火設備接点から防火設備接点信号を受けている時、同様に報知処理制御部１５に通知する。
【００４８】
ここで、報知処理制御部１５は、乗客検出手段７又は戸開ボタン２１からかご内に乗客がいるか否かを判断し（Ｓ３０）、かご内に乗客がいると判断した場合には、報知データ記憶部１４からかご内に乗客がいることを知らせる緊急報知データを読み出し、報知装置９からかご内に乗客がいることを報知し（Ｓ３１）、同様に報知データ記憶部１４から乗客が乗りかご内にいることを外部に通報中であるデータを読み出し、テールコード１３を通して乗りかご３内の音声発生器２２から乗客に知らせる（Ｓ３２）。この報知動作は所定回数繰り返した後に終了する（Ｓ３３）。
【００４９】
従って、以上のような実施の形態によれば、前述する第１の実施の形態及び第２の実施の形態と同様な効果を奏する他、乗りかご３に閉じ込められた乗客にも外部に通報中であることを知らせるので、乗りかご３内の乗客にそれ相当の冷静さを与えることができ、緊急時の冷静な行動を担保することができる。
【００５０】
（第４の実施の形態）
図６は本発明に係るエレベータ制御装置のさらに他の実施の形態を示す構成図である。なお、同図において、図１、図３と同一または等価な部分には同一符号を付して、詳しくは図１、図３の説明に譲り、特に異なる部分について説明する。
【００５１】
このエレベータ制御装置は、図１又は図３に示す構成に新たに、報知処理制御部１５からかご内に乗客がいることを報知装置９から報知する際、防火設備動作検出部１１から何れの階の防火設備が動作していない情報を取り込んで報知装置９或いは表示装置（図示せず）に出力し、現在の防火設備の動作状態を通知する機能を有する他、新たに報知装置９或いは表示装置を設置する場所，例えば監視室に強制走行制御手段２３が設けられている。
【００５２】
この強制走行制御手段２３は、管理者又は監視者が報知装置９或いは表示装置から出力される現在の防火設備の動作状態を確認し、当該管理者又は監視者の指示のもとに防火設備が動作していない最も安全な階に走行される強制走行制御信号を運転制御部１２に送信する機能をもっている。
【００５３】
従って、このような実施の形態によれば、報知装置９から乗りかご内に乗客がいることを確認し、また報知処理制御部１５から現在防火設備が閉動作していない安全な階情報を報知装置９或いは表示装置から出力されている時、管理者又は監視者が強制走行制御手段２３から運転制御部１２に対して現在防火設備が閉動作していない安全な１つの階に乗りかごを強制走行させるための制御信号を供給するので、全ての避難階の防火設備が閉動作している場合、避難階以外の安全な階に強制的に乗りかごを走行させてかご内の乗客を避難させることができる。
【００５４】
その他、本発明は、上記実施の形態に限定されるものでなく、その要旨を逸脱しない範囲で種々変形して実施できる。例えば前述する実施の形態では、防火シャッターや防火戸などを備えた防火設備に適用した構成について説明したが、この防火設備に代えて、遮煙，遮炎性能を有する乗場ドア４ａ，４ｂ，…を設置した場合にも同様に適用できることは言うまでもない。この場合には、図１、図３、図４、図６から防火設備５ａ、５ｂが取り除かれた構成となる。その他の構成は全く同じである。
【００５５】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００５６】
【図１】本発明に係るエレベータ制御装置の一実施の形態を示す構成図。
【図２】図１に示すエレベータ制御装置の動作を説明する図。
【図３】本発明に係るエレベータ制御装置の他の実施の形態を示す構成図。
【図４】本発明に係るエレベータ制御装置のさらに他の実施の形態を示す構成図。
【図５】図４に示すエレベータ制御装置の動作を説明する図。
【図６】本発明に係るエレベータ制御装置のさらに他の実施の形態を示す構成図。
【符号の説明】
【００５７】
１…エレベータ昇降路、２…メインロープ、３…乗りかご、４ａ，４ｂ…乗場ドア、５ａ，５ｂ…防火設備、６ａ，６ｂ…防火設備接点、７…乗客検出手段、８…エレベータ制御盤、９…報知装置、１１…防火設備動作検出部、１２…運転制御部、１３…テールコード、１５…報知処理制御部、２１…戸開ボタン、２２…音声発生手段、２３…強制走行制御手段。
【図１】
2005170583.tif 000003
【図２】
2005170583.tif 000004
【図３】
2005170583.tif 000005
【図４】
2005170583.tif 000006
【図５】
2005170583.tif 000007
【図６】
2005170583.tif 000008